(57)【要約】【課題】流体圧試験に掛かる作業の省力化を図り、流体圧試験を容易且つ確実に行う。【解決手段】本発明は、設備配管の流体圧試験を行うための流体圧試験装置１であって、圧力計２及び該圧力計２に接続される圧力計回りの配管設備３と、該圧力計回りの配管設備３と流体圧試験の対象となる試験対象配管５とを接続するための接続用配管６と、前記圧力計２及び前記圧力計回りの配管設備３と、前記接続用配管６とを収納する可搬式のケース８とを備えていることを特徴とする。【選択図】図１
2008309542.tif 000002
【特許請求の範囲】
【請求項１】
設備配管の流体圧試験を行うための流体圧試験装置であって、
圧力計及び該圧力計に接続される圧力計回りの配管設備と、
該圧力計回りの配管設備と流体圧試験の対象となる試験対象配管とを接続するための接続用配管と、
前記圧力計及び前記圧力計回りの配管設備と、前記接続用配管とを収納する可搬式のケースと、
を備えていることを特徴とする流体圧試験装置。
【請求項２】
前記圧力計回りの配管設備は、前記圧力計が着脱可能な圧力計着脱部と、前記接続用配管が着脱可能な接続用配管着脱部とが前記ケースに組み付けられて構成されており、前記ケースには前記圧力計に近接して時計が組み付けられている請求項１に記載の流体圧試験装置。
【請求項３】
前記ケースには、流体圧試験の記録写真を撮影する際に所定項目を表面に記録可能な記録写真用ボードが収納されている請求項１に記載の流体圧試験装置。
【請求項４】
前記ケースはアタッシュケースにより形成され、前記ケースの蓋側部分の内側に前記圧力計及び該圧力計に接続される圧力計回りの配管設備と前記時計とが組み付けられていると共に、前記ケースの本体側部分の内側に前記記録写真用ボードが組み付けられており、前記ケースの開放時には、前記圧力計と前記時計と前記記録写真用ボードの表面が露出するように構成されている請求項３に記載の流体圧試験装置。
【請求項５】
前記ケースには、該ケースの最大開放角度を規制するための開き止め部が設けられていると共に、前記ケース開放時の転倒を防止するための転倒防止部が設けられている請求項４に記載の流体圧試験装置。
【発明の詳細な説明】
【技術分野】
【０００１】
本発明は、建物や施設に配設される給排水設備や空気調和設備等の配管設備において流体圧試験を行うための流体圧試験装置に関する。
【背景技術】
【０００２】
一般に、共同住宅や事務所、店舗等の建物や施設において、給排水設備や空気調和設備等の配管設備の敷設工事が終了した場合などには、配管設備内を流通する流体が接続箇所等から漏出していないことを確認するため、流体圧試験が行なわれる。
【０００３】
従来のこの種の流体圧試験では、先ず、流体圧試験の対象となる試験対象配管に圧力計や該圧力計回りの配管設備等を接続し、設備配管内に流体を充填した上で、コンプレッサーにより該流体に所定の試験圧力を加える。そして、時計で計時しながら、この状態を一定時間保持した後、流体の漏出による圧力降下がないことを圧力計で目視確認すると共に、試験日時や試験条件（圧力、時間）等の所定項目を記録した記録写真用ボードを掲示して記録写真を撮影している（例えば、特許文献１又は２参照）。
【特許文献１】特開平６−１１７９５８号公報
【特許文献２】特開２００２−９０２５５号公報
【発明の開示】
【発明が解決しようとする課題】
【０００４】
しかしながら、上記した従来の流体圧試験では、試験を行う度に、圧力計や該圧力計回りの配管設備等を取り付けたり、取り外したりする必要があるため、段取りや片付け作業に時間や手間が掛かるといった問題があった。
【０００５】
また、時計や記録写真用ボードを現場に持参するのを忘れるおそれがあり、その場合には、時間の計測が不正確になったり、試験記録を正確に残せなかったりするといった問題もあった。
【０００６】
本発明は、上記した課題を解決すべくなされたものであり、流体圧試験に掛かる作業の省力化を図ることができ、流体圧試験を容易且つ確実に行うことのできる流体圧試験装置を提供することを目的とするものである。
【課題を解決するための手段】
【０００７】
上記した目的を達成するため、本発明は、設備配管の流体圧試験を行うための流体圧試験装置であって、圧力計及び該圧力計に接続される圧力計回りの配管設備と、該圧力計回りの配管設備と流体圧試験の対象となる試験対象配管とを接続するための接続用配管と、前記圧力計及び前記圧力計回りの配管設備と、前記接続用配管とを収納する可搬式のケースと、を備えていることを特徴とする。
【０００８】
そして、前記圧力計回りの配管設備は、前記圧力計が着脱可能な圧力計着脱部と、前記接続用配管が着脱可能な接続用配管着脱部とが前記ケースに組み付けられて構成されており、前記ケースには前記圧力計に近接して時計が組み付けられていてもよい。
【０００９】
また、前記ケースには、流体圧試験の記録写真を撮影する際に所定項目を表面に記録可能な記録写真用ボードが収納されていてもよい。
【００１０】
さらに、前記ケースはアタッシュケースにより形成され、前記ケースの蓋側部分の内側に前記圧力計及び該圧力計に接続される圧力計回りの配管設備と前記時計とが組み付けられていると共に、前記ケースの本体側部分の内側に前記記録写真用ボードが組み付けられており、前記ケースの開放時には、前記圧力計と前記時計と前記記録写真用ボードの表面が露出するように構成されていてもよい。
【００１１】
さらにまた、前記ケースには、該ケースの最大開放角度を規制するための開き止め部が設けられていると共に、前記ケース開放時の転倒を防止するための転倒防止部が設けられていてもよい。
【発明の効果】
【００１２】
本発明によれば、流体圧試験を行う度に、圧力計や該圧力計回りの配管設備等を取り付けたり、或いは取り外したりする必要がないため、段取り作業や片付け作業の手間を軽減することができ、掛かる作業に要する時間を短縮することができる。
【００１３】
また、時計や記録写真用ボード等の備品を現場に持参するのを忘れることがなくなり、時間の計測を正確に行うことができると共に、試験記録を正確に残すことができ、流体圧試験の精度及び信頼性を高めることができる。
【００１４】
さらに、流体圧試験に要する備品をコンパクトにまとめることができ、利便性の向上を図ることができると共に、圧力計回りの配管設備のコンパクト化を図ることができ、見栄えを向上させることもできる。
【発明を実施するための最良の形態】
【００１５】
以下、図面を参照しつつ、本発明の実施の形態について説明する。ここで、図１は本発明の実施の形態に係る流体圧試験装置により流体圧試験を行っている状態を示す斜視図、図２は同流体圧試験装置をケースに収容した状態を示す斜視図、図３の（ａ），（ｂ），（ｃ）はいずれも同流体圧試験装置において圧力計を交換する手順を示す正面図である。
【００１６】
本発明の実施の形態に係る流体圧試験装置１は、圧力計（例えば、最大圧力測定範囲が２ＭＰａの圧力計）２及び該圧力計２に接続される圧力計回りの配管設備３と、時計４と、圧力計回りの配管設備３と流体圧試験の対象となる試験対象配管５とを接続するための接続用配管６と、記録写真用ボード７と、前記圧力計２、圧力計回りの配管設備３、時計４、接続用配管６、及び記録写真用ボード７を収納する可搬式のケース８とを備えて構成されている。
【００１７】
ケース８は、ジュラルミン製のアタッシュケースにより形成され、盆形状の蓋側部分９と、箱形状の本体側部分１０とを備え、蓋側部分９と本体側部分１０とは、各下端がヒンジ金具１１により互いに枢結されていると共に各上端が施錠金具１２により開閉可能且つ施錠可能に構成されている。また、蓋側部分９の下端側部と本体側部分１０との下端側部の間には開き止め金具１３が渡設されており、この開き止め金具１３は蓋側部分９と本体側部分１０の開閉動作に伴って伸長及び折曲し、伸長時にはケース８の最大開放角度を規制するようになっている。
【００１８】
さらに、本体側部分１０の外側面には係止金具１４が取り付けられており、この係止金具１４に転倒防止金具１５が着脱可能となっている。転倒防止金具１５は、先端がＬ字状に形成された細長板状を成しており、未使用時にはケース８内に収納されている。そして、転倒防止金具１５の基端側が係止金具１４に固定されると共にその先端側が床面に当接することにより、本体側部分１０を床面に載置して蓋側部分９を開放した時にケース８が転倒するのを防止するようになっている。なお、この転倒防止金具１５の形状や取付位置は、上記した場合に限定されるものではなく、例えば、蓋側部分９に取り付けて脚状に形成する等、各種変更が可能である。
【００１９】
ケース８の蓋側部分９の内側には、板状の台座１６が嵌設されており、この台座１６の表面に前記圧力計２、圧力計回りの配管設備３、及び時計４が組み付けられており、ケース８の開放時にはこれらの圧力計２、圧力計回りの配管設備３、及び時計４が露出するようになっている。圧力計回りの配管設備３は、圧力計２が着脱可能な圧力計着脱部１７と、管内の空気を外部に排出するためのエア抜き用バルブ１８と、接続用配管６が着脱可能な接続用配管着脱部１９と、これらの圧力計着脱部１７、エア抜き用バルブ１８、及び接続用配管着脱部１９をそれぞれ接続する配管類２０とにより構成されている。
【００２０】
圧力計着脱部１７は、短管２１の一端（図示では下端）に第１の袋ナット２３が接合されて成り、直管２２に接続される特殊継手３６と、短管２１の他端（図示では上端）に圧力計２を固定するための第２の袋ナット２４と、短管２１の他端において外鍔状に形成されたストッパ部３７とから構成されている。そして、この第２の袋ナット２４は、圧力計２を取り外した状態でもストッパ部３７により短管２１からの脱落が防止され、短管２１に遊嵌した状態が保持されるようになっている。
【００２１】
台座１６の表面には、縦方向に突条部２５が形成され、台座１６の表面はこの突条部２５により左右２つの領域２６，２７に仕切られている。そして、台座１６の表面の一方の領域（図１の左方領域）２６には、圧力計２と時計４とが隣接して配設されていると共に、圧力計回りの配管設備３の圧力計着脱部１７が配設されている一方、台座１６の表面の他方の領域（図１の右方領域）２７には、圧力計回りの配管設備３のエア抜き用バルブ１８及び接続用配管着脱部１９が配設されている。エア抜き用バルブ１８及び接続用配管着脱部１９に至る各配管２８，２９は突条部２５を貫通することにより台座１６に支持されていると共に、これらの各配管２８，２９のエア抜き用バルブ１８及び接続用配管着脱部１９の直近部分は、それぞれ支持部材３０，３１により台座１６に支持されている。
【００２２】
ケース８の本体側部分１０の内側には、ケース８の本体側部分１０との間に空間が形成されるように、ホワイトボード製の記録写真用ボード７が組み付けられている。この記録写真用ボード７の表面には、流体圧試験の記録写真を撮影する際に、工事名称、撮影場所、撮影日、試験内容（水圧、耐圧、気密、その他）、試験対象名、試験範囲、試験圧力、開始時刻、終了時刻、撮影者、立会者、施工会社等の所定項目を記録できるようになっており、ケース８の開放時には記録写真用ボード７の表面が露出するようになっている。
【００２３】
また、ケース８の本体側部分１０と記録写真用ボード７とに囲まれた空間は、前記接続用配管６や転倒防止金具１５の他、前記圧力計２と異なるレンジの圧力計２’や、圧力計２，２’の試験成績書等を収納するスペースとして利用できるようになっている。そして、接続用配管６や転倒防止金具１５をこのスペースから取り出したり、或いは、反対に収納したりする時に、記録写真用ボード７をケース８の本体側部分１０から取り外し易くするため、記録写真用ボード７には円形の掛止孔３２が穿設されている。
【００２４】
次に、図面を参照しつつ、上記した本発明の実施の形態に係る流体圧試験装置により流体圧試験を行う手順について説明する。なお、以下の説明では、水圧試験を行う場合について例示して説明する。
【００２５】
先ず、図２に示すように、圧力計２及び該圧力計２に接続される圧力計回りの配管設備３、時計４、接続用配管６、記録写真用ボード７、転倒防止金具１５等を収納し、施錠、閉塞したケース８を水圧試験を行う現場に持ち運ぶ。そして、その現場において、図１に示すように、本体側部分１０を床面に載置した状態で施錠金具１２を解錠し、蓋側部分９を立て起こし、ケース８を開放する。これにより、台座１６に組み付けられている圧力計２、圧力計回りの配管設備３、及び時計４と、記録写真用ボード７の表面は外部に露出し、容易に視認可能となる。
【００２６】
次いで、掛止孔３２に指を引っ掛けて、記録写真用ボード７を取り外して、ケース８の本体側部分１０に収納されている接続用配管６及び転倒防止金具１５を取り出した後、記録写真用ボード７を元の位置に戻す。転倒防止金具１５の基端側を係止金具１４に固定し、接続用配管６の一端を圧力計回りの配管設備３の接続用配管着脱部１９に接続すると共に、接続用配管６の他端を試験対象配管５の接続箇所３３に接続し、これにより、水圧試験のための段取り作業を終了する。このように水圧試験の段取り作業は著しく簡略化され、段取り作業の省力化が可能となる。
【００２７】
次いで、図１に示すように、加圧ポンプ３４を駆動させて試験対象配管５内に試験水を圧送し、必要に応じて、エア抜き用バルブ１８を開放しながら、試験対象配管５内を試験水で充填させると共に、配管内部の圧力を上昇させ、圧力計２の指針が所定圧力を示したところで開閉弁３５を閉塞する。その後、所定時間経過後に圧力計２を目視し、試験対象配管５内の水圧が低下しているかどうかを確認し、水漏れの有無を検査する。
【００２８】
なお、上記流体圧試験において試験対象配管５内に加える圧力に応じて、圧力計２をレンジの異なる別の圧力計２’に交換する必要が生じた場合には、先ず、第２の袋ナット２４を緩め（図３（ａ）参照）、圧力計２を取り外し、レンジの異なる別の圧力計２’をセットした（図３（ｂ）参照）後、再度、第２の袋ナット２４を締め付け、圧力計２’を固定する（図３（ｃ）参照）。
【００２９】
このように上記した本発明の実施の形態に係る流体圧試験装置１によれば、流体圧試験を行う度に、圧力計２や該圧力計回りの配管設備３等を取り付けたり、或いは取り外したりする必要がないため、段取り作業や片付け作業の手間を軽減することができ、掛かる作業に要する時間を短縮することができる。
【００３０】
また、時計や記録写真用ボード等の備品を現場に持参するのを忘れることがなくなり、時間の計測を正確に行うことができると共に、試験記録を正確に残すことができ、流体圧試験の精度及び信頼性を高めることができる。
【００３１】
さらに、流体圧試験に要する備品をコンパクトにまとめることができ、利便性の向上を図ることができると共に、圧力計回りの配管設備のコンパクト化を図ることができ、見栄えを向上させることもできる。
【００３２】
さらに、ケース８内に圧力計２，２’の試験成績書が収納されているため、流体圧試験の品質及び信頼性の向上をより一段と高めることができる。
【００３３】
なお、上記した実施の形態では、本発明を水圧試験に適用した場合について説明したが、これは単なる例示に過ぎず、本発明は、空気や冷媒や油等、他の流体の耐圧試験や気密試験等にも適用可能であることは言う迄もない。
【図面の簡単な説明】
【００３４】
【図１】本発明の実施の形態に係る流体圧試験装置により流体圧試験を行っている状態を示す斜視図である。
【図２】本発明の実施の形態に係る流体圧試験装置をケースに収容した状態を示す斜視図である。
【図３】（ａ），（ｂ），（ｃ）はいずれも本発明の実施の形態に係る流体圧試験装置において圧力計を交換する手順を示す正面図である。
【符号の説明】
【００３５】
１          流体圧試験装置
２          圧力計
３          圧力計回りの配管設備
４          時計
５          試験対象配管
６          接続用配管
７          記録写真用ボード
８          ケース
９          蓋側部分
１０        本体側部分
１３        開き止め金具
１５        転倒防止金具
１７        圧力計着脱部
１９        接続用配管着脱部
【図１】
2008309542.tif 000003
【図２】
2008309542.tif 000004
【図３】
2008309542.tif 000005